(57)【要約】  外部装置情報取得部（１４２）は、電力供給元から充電識別情報を取得し、電力供給先から放電識別情報を取得する。電力量取得部（１４４）は、電力供給元から二次電池へ供給された電力量を取得する。蓄電状態ＤＢ（１６１）は、電力供給元の充電識別情報と、電力量取得部（１４４）により取得された電力量と、を対応付けて記憶する。充放電設定ＤＢ（１６２）は、電力供給元と、その電力供給元から二次電池へ充電された電力を放電可能な電力供給先と、を表す放電許可情報を記憶する。放電許可判定部（１４５）は、放電許可情報に基づいて、放電識別情報により識別される電力供給先に、蓄電状態ＤＢ（１６１）に記憶された充電識別情報により識別される電力供給元から供給された電力を放電可能か否か判定する。
2014104287.tif 000002
【特許請求の範囲】
【請求項１】
二次電池へ電力を供給する電力供給元から、当該電力供給元を識別する充電識別情報を取得する充電装置情報取得部と、
前記電力供給元から前記二次電池へ供給された電力量を取得する充電電力量取得部と、
前記充電装置情報取得部により取得された充電識別情報と、前記充電電力量取得部により取得された電力量と、を対応付けて記憶する蓄電状態記憶部と、
電力供給元と電力供給先との組み合わせ毎に、当該電力供給元から前記二次電池へ充電された電力の、当該電力供給先への放電が可能か否かを表す放電許可情報を記憶する充放電設定記憶部と、
電力供給先から、当該電力供給先を識別する放電識別情報を取得する放電装置情報取得部と、
前記放電許可情報に基づいて、前記放電識別情報により識別される電力供給先に、前記蓄電状態記憶部に記憶された充電識別情報により識別される電力供給元から供給された電力を放電可能か否か判定する放電許可判定部と、
前記放電許可判定部による判定結果に基づいて、前記二次電池から、前記放電識別情報により識別される電力供給先への放電を制御する放電制御部と、
を備える充放電制御装置。
【請求項２】
前記放電制御部は、前記放電許可判定部により放電可能であると判定された場合、前記放電識別情報により識別される電力供給先に放電可能であると判定された電力供給元を識別する充電識別情報と対応付けられた電力量を前記蓄電状態記憶部から特定し、特定された電力量を放電可能な電力量の上限として、前記電力供給先への放電を制御する、
請求項１に記載の充放電制御装置。
【請求項３】
前記充電装置情報取得部は、電力供給元から、当該電力供給元の位置を表す充電位置情報をさらに取得し、
前記蓄電状態記憶部は、前記充電装置情報取得部により取得された充電識別情報及び充電位置情報と、前記充電電力量取得部により取得された電力量と、を対応付けて記憶し、
前記放電許可情報は、電力供給元の位置及び電力供給先の位置が予め定められた条件を満たす場合に、当該電力供給元から前記二次電池へ充電された電力の、当該電力供給先への放電が可能である旨を表し、
前記放電装置情報は、電力供給先から、当該電力供給先の位置を表す放電位置情報をさらに取得し、
前記放電許可判定部は、前記放電許可情報に基づいて、前記放電位置情報が表す位置と、前記蓄電状態記憶部に記憶された充電位置情報が表す位置とが前記条件を満たす場合に、その充電位置情報に対応する充電識別情報により識別される電力供給元から供給された電力の、前記放電識別情報により識別される電力供給先への放電を許可する、
請求項１または２に記載の充放電制御装置。
【請求項４】
二次電池と、当該二次電池の充放電を制御する充放電制御装置と、を含む充放電制御システムであって、
前記充放電制御装置は、
前記二次電池へ電力を供給する電力供給元から、当該電力供給元を識別する充電識別情報を取得する充電装置情報取得部と、
前記電力供給元から前記二次電池へ供給された電力量を取得する充電電力量取得部と、
前記充電装置情報取得部により取得された充電識別情報と、前記充電電力量取得部により取得された電力量と、を対応付けて記憶する蓄電状態記憶部と、
電力供給元と電力供給先との組み合わせ毎に、当該電力供給元から前記二次電池へ充電された電力の、当該電力供給先への放電が可能か否かを表す放電許可情報を記憶する充放電設定記憶部と、
電力供給先から、当該電力供給先を識別する放電識別情報を取得する放電装置情報取得部と、
前記放電許可情報に基づいて、前記放電識別情報により識別される電力供給先に、前記蓄電状態記憶部に記憶された充電識別情報により識別される電力供給元から供給された電力を放電可能か否か判定する放電許可判定部と、
前記放電許可判定部による判定結果に基づいて、前記二次電池から、前記放電識別情報により識別される電力供給先への放電を制御する放電制御部と、を備える、
充放電制御システム。
【請求項５】
二次電池へ電力を供給する電力供給元から、当該電力供給元を識別する充電識別情報を取得する充電装置情報取得ステップと、
前記電力供給元から前記二次電池へ供給された電力量を取得する充電電力量取得ステップと、
前記充電装置情報取得ステップにおいて取得された充電識別情報と、前記充電電力量取得ステップにおいて取得された電力量と、を対応付けて蓄電状態記憶部に記憶させる蓄電状態記憶ステップと、
電力供給先から、当該電力供給先を識別する放電識別情報を取得する放電装置情報取得ステップと、
充放電設定記憶部に記憶された、電力供給元と電力供給先との組み合わせ毎の、当該電力供給元から前記二次電池へ充電された電力の、当該電力供給先への放電が可能か否かを表す放電許可情報に基づいて、前記放電識別情報により識別される電力供給先に、前記蓄電状態記憶部に記憶された充電識別情報により識別される電力供給元から供給された電力を放電可能か否か判定する放電許可判定ステップと、
前記放電許可判定ステップにおける判定結果に基づいて、前記二次電池から、前記放電識別情報により識別される電力供給先への放電を制御する放電制御ステップと、
を有する充放電制御方法。
【請求項６】
コンピュータを、
二次電池へ電力を供給する電力供給元から、当該電力供給元を識別する充電識別情報を取得する充電装置情報取得手段、
前記電力供給元から前記二次電池へ供給された電力量を取得する充電電力量取得手段、
前記充電装置情報取得手段により取得された充電識別情報と、前記充電電力量取得手段により取得された電力量と、を対応付けて記憶する蓄電状態記憶手段、
電力供給元と電力供給先との組み合わせ毎に、当該電力供給元から前記二次電池へ充電された電力の、当該電力供給先への放電が可能か否かを表す放電許可情報を記憶する充放電設定記憶手段、
電力供給先から、当該電力供給先を識別する放電識別情報を取得する放電装置情報取得手段、
前記放電許可情報に基づいて、前記放電識別情報により識別される電力供給先に、前記蓄電状態記憶手段に記憶された充電識別情報により識別される電力供給元から供給された電力を放電可能か否か判定する放電許可判定手段、
前記放電許可判定手段による判定結果に基づいて、前記二次電池から、前記放電識別情報により識別される電力供給先への放電を制御する放電制御手段、
として機能させるためのプログラム。
【発明の詳細な説明】
【技術分野】
【０００１】
本発明は、充放電可能な二次電池の充放電制御装置、充放電制御システム、充放電制御方法、及びプログラムに関する。
【背景技術】
【０００２】
エンジンと電気モータの２つの動力源を走行状況に応じて切り替えて走行するハイブリッドカーや、電気モータのみを動力源に走行する車両（以下、単に電気自動車という）は、電力を供給するための充放電可能なバッテリ（二次電池）を搭載している。バッテリへの充電は、例えば、ガソリンスタンドと同様に路上に設置された充電設備により行われる。【０００３】
このような充電設備からバッテリへの充電において、バッテリへの充電が許可された充電設備以外での充電による電力の盗用を防止する技術が提案されている。例えば、特許文献１に記載のエネルギー補給制御装置は、測位手段により測位された自車両の現在位置が予め記憶したエネルギー補給可能な位置情報と略一致する場合に、エネルギー補給を許可することにより、エネルギーの盗用を防止する。
【先行技術文献】
【特許文献】
【０００４】
【特許文献１】特開２００８−２９５１３６号公報
【発明の概要】
【発明が解決しようとする課題】
【０００５】
しかし、特許文献１に記載された技術では、不正な充電を防止することは可能であるが、許可された充電設備において充電された電力は、その使用用途を限定することができない。従って、例えば、通勤車両の充電用として会社に設置された無料充電スタンドで充電した電力を社員の自宅の家電設備に使用するといった電気の不正使用ができてしまう。【０００６】
また、場所によってガソリンの価格が異なるのと同様に、将来的に充電スタンドによって充電単価が異なることも十分予想される。そうなった場合、充電単価が安い充電スタンドで購入した電力を、充電単価が高い場所で売却することが可能となり、電力の転売による不正な利益を得ることも可能となる。【０００７】
本発明は、上述の事情の下になされたもので、電力の不正使用を防止することが可能な充放電制御装置、充放電制御システム、充放電制御方法、及びプログラムを提供することを目的とする。
【課題を解決するための手段】
【０００８】
上記目的を達成するため、本発明に係る充放電制御装置は、
二次電池へ電力を供給する電力供給元から、当該電力供給元を識別する充電識別情報を取得する充電装置情報取得部と、
前記電力供給元から前記二次電池へ供給された電力量を取得する充電電力量取得部と、
前記充電装置情報取得部により取得された充電識別情報と、前記充電電力量取得部により取得された電力量と、を対応付けて記憶する蓄電状態記憶部と、
電力供給元と電力供給先との組み合わせ毎に、当該電力供給元から前記二次電池へ充電された電力の、当該電力供給先への放電が可能か否かを表す放電許可情報を記憶する充放電設定記憶部と、
電力供給先から、当該電力供給先を識別する放電識別情報を取得する放電装置情報取得部と、
前記放電許可情報に基づいて、前記放電識別情報により識別される電力供給先に、前記蓄電状態記憶部に記憶された充電識別情報により識別される電力供給元から供給された電力を放電可能か否か判定する放電許可判定部と、
前記放電許可判定部による判定結果に基づいて、前記二次電池から、前記放電識別情報により識別される電力供給先への放電を制御する放電制御部と、
を備えることを特徴とする。
【発明の効果】
【０００９】
本発明によれば、電力の不正使用を防止することができる。
【図面の簡単な説明】
【００１０】
【図１】実施形態に係る充放電制御システムのハードウェア構成を示すブロック図である。
【図２】蓄電状態ＤＢに格納されるデータの一例を示す図である。
【図３】充放電設定ＤＢに格納されるデータの一例を示す図である。
【図４】実施形態に係る充放電制御装置の機能構成を示すブロック図である。
【図５】充電制御処理の流れの一例を示すフローチャートである。
【図６】放電制御処理の流れの一例を示すフローチャートである。
【図７Ａ】放電前の蓄電状態ＤＢに記憶された電力供給元毎の電力量を表す棒グラフの一例を示す図である。
【図７Ｂ】放電後の蓄電状態ＤＢに記憶された電力供給元毎の電力量を表す棒グラフの一例を示す図である。
【発明を実施するための形態】
【００１１】
以下、本発明の実施形態について説明する。
図１は、本実施形態に係る充放電制御システム１のハードウェア構成を示すブロック図である。図１に示すように、本実施形態に係る充放電制御システム１は、充放電制御装置１００と、外部装置接続端子２００と、二次電池３００と、から構成される。
【００１２】
充放電制御装置１００は、二次電池３００から外部装置接続端子２００を介して接続された電力供給先への放電を制御する装置である。具体的には、充放電制御装置１００は、外部装置接続端子２００に接続された電力供給先が、予め二次電池３００からの放電が許可された電力供給先であるか否かを判定し、その判定結果に基づいて放電を制御する。充放電制御装置１００の詳細な構成については後述する。
【００１３】
外部装置接続端子２００は、電力供給元または電力供給先である外部装置と充放電制御システム１とを接続するための端子である。具体的には、外部装置接続端子２００は、電力供給元として、例えば、工場、住宅、ガソリンスタンド等に設置された充電スタンドといった、二次電池３００に電力を供給可能な外部装置と接続される。また、外部装置接続端子２００は、電力供給先として、例えば、住宅の家電設備、電気自動車といった、二次電池３００からの電力を供給可能な外部装置と接続される。
【００１４】
また、外部装置接続端子２００は、電力搬送線及び情報通信線を介して、充放電制御装置１００と接続されている。そして、外部装置接続端子２００は、電力搬送線を介して、電力供給元からの電力を充放電制御装置１００に搬送し、また二次電池３００からの電力を電力供給先へ搬送する。また、外部装置接続端子２００は、電力供給元または電力供給先である外部装置と接続されると、その外部装置を識別する識別情報を、情報通信線を介して充放電制御装置１００に送信する。
【００１５】
二次電池３００は、リチウムイオン電池等の充放電可能な電池である。二次電池３００は、電力搬送線及び情報通信線を介して、充放電制御装置１００と接続されている。そして、二次電池３００は、充放電制御装置１００による制御のもと、電力搬送線を介して、電力供給元からの電力を充電し、電力供給先への電力を放電する。
【００１６】
次に、充放電制御装置１００のハードウェア構成について詳細に説明する。図１に示すように、本実施形態に係る充放電制御装置１００は、電力量計測部１１０と、充放電切替部１２０と、外部インターフェース（ＩＦ）部１３０と、制御部１４０と、主記憶部１５０と、補助記憶部１６０と、表示部１７０と、入力部１８０とから構成されている。
【００１７】
電力量計測部１１０は、外部装置接続端子２００に接続された電力供給元から二次電池３００に供給された電力量と、二次電池３００から外部装置接続端子２００に接続された電力供給先に供給された電力量と、を計測する。
【００１８】
充放電切替部１２０は、制御部１４０からの制御信号に応じて、二次電池３００の充電及び放電を切り替える。
【００１９】
外部ＩＦ部１３０は、外部装置と通信可能に接続するためのインターフェースである。充放電制御装置１００は、外部ＩＦ部１３０を介して外部装置接続端子２００及び二次電池３００と接続され、電力供給元または電力供給先である外部装置や二次電池３００から情報を取得する。
【００２０】
制御部１４０は、例えば、ＣＰＵ（Central Processing Unit）から構成されており、充放電制御装置１００の全体の制御を行う。
【００２１】
主記憶部１５０はＲＡＭ（Random-Access Memory）等で構成される。制御部１４０は、補助記憶部１６０に記憶されているプログラムを主記憶部１５０にロードし、作業領域として用いる。
【００２２】
補助記憶部１６０は、フラッシュメモリ等の不揮発性メモリから構成される。補助記憶部１６０は、充放電制御装置１００の処理を制御部１４０に行わせるためのプログラムを記憶する。また、補助記憶部１６０は、制御部１４０の制御に従って、このプログラムのデータを制御部１４０に供給し、制御部１４０から供給されたデータを記憶する。
【００２３】
また、補助記憶部１６０は、図１に示すように、蓄電状態ＤＢ１６１と、充放電設定ＤＢ１６２と、を記憶する。
【００２４】
蓄電状態ＤＢ１６１は、二次電池３００に電力を供給した電力供給元と、その電力供給元が二次電池３００に供給した電力量と、を表す情報を記憶する。蓄電状態ＤＢ１６１に記憶されるデータの一例を図２に示す。図２に示すように、蓄電状態ＤＢ１６１は、二次電池３００に電力を供給した電力供給元毎に、「充電装置情報」と、電力供給元から二次電池３００に供給された電力量を表す「電力量」とを記憶する。
【００２５】
さらに、充電装置情報は、「充電識別情報（充電ＩＤ）」と、「場所情報」と、「位置情報」と、「付帯情報」と、を含む。充電識別情報は、電力供給元を識別する情報である。場所情報は、充電識別情報により表される電力供給元の設置場所の種別を表し、例えば、「工場」、「住宅」、「ガソリンスタンド」、「ショッピングセンター」、「ガソリンスタンド」、「車」等である。位置情報は、電力供給元の位置を表す情報であって、例えば、緯度及び経度により電力供給元の位置を表す。付帯情報は、電力供給元に関する各種情報であり、例えば、充電単価や放電単価に関する情報、電気自動車の形式、電気自動車の充電容量、電気自動車の走行距離等の情報である。
【００２６】
なお、図２に示す蓄電状態ＤＢ１６１において、「電力量」は、二次電池３００が満充電状態において充電されている電力量を１００％とした場合の電力量を表している。例えば、充電識別情報「１」、場所情報「工場」である電力供給元から供給された電力量は、「３０％」である。また、図２に示す蓄電状態ＤＢ１６１において、各電力供給元から供給された電力量の総和は１００％であるから、二次電池３００は満充電状態である。
【００２７】
蓄電状態ＤＢ１６１に記憶される充電装置情報は、例えば、外部装置接続端子２００を介して、電力供給元である外部装置から取得される。また、蓄電状態ＤＢ１６１に記憶される電力量を表す情報は、電力量計測部１１０から取得される。
【００２８】
充放電設定ＤＢ１６２は、電力供給元と電力供給先との組み合わせ毎に、電力供給元から二次電池３００へ充電された電力の、電力供給先への放電が可能か否かを表す放電許可情報を記憶する。充放電設定ＤＢ１６２に記憶されるデータの一例を図３に示す。図３に示すように、充放電設定ＤＢ１６２には、電力供給元を識別する「充電識別情報（充電ＩＤ）：場所情報」と、電力供給先を識別する「放電識別情報（放電ＩＤ）：場所情報」との組み合わせ毎に、放電許可情報が記憶されている。
【００２９】
なお、図３に示す放電許可情報において、「○」は放電が許可されていることを表し、「×」は放電が許可されていないことを表す。例えば、充電識別情報「１」である場所情報「工場」と、放電識別情報「１」である場所情報「工場」との組み合わせに対応する放電許可情報は「○」である。すなわち、工場において二次電池３００に充電された電力は、工場での放電が許可されていることを表す。また、例えば、充電識別情報「１」である場所情報「工場」と、放電識別情報「２」である場所情報「住宅」との組み合わせに対応する放電許可情報は「×」である。すなわち、工場において二次電池３００に充電された電力は、住宅での放電が許可されていないことを表す。
【００３０】
また、図３に示す放電許可情報において、「△」は、放電可能条件を満たす場合に放電が許可されていることを表す。放電可能条件とは、例えば、電力供給元の位置と、電力供給先の位置とが、電力の単価が同じ地域内に設置されているという条件である。このような条件を満たす場合に放電を許可することにより、電力の単価が安い地域に設置された電力供給元で充電し、電力の単価が高い地域に設置された電力供給先へ放電することにより利益を得るという違法行為を防ぐことができる。例えば、充電識別情報「５」である場所情報「ガソリンスタンド」と、放電識別情報「２」である場所情報「住宅」との組み合わせに対応する放電許可情報は「△」である。すなわち、ガソリンスタンドにおいて二次電池３００に充電された電力は、そのガソリンスタンドと電力の単価が同じ地域内にある住宅であれば、その住宅への放電が許可されていることを表す。
【００３１】
図１に戻って、表示部１７０は、液晶ディスプレイ等の表示装置から構成され、制御部１４０により出力された各種の情報を表示する。具体的には、表示部１７０は、充電または放電が出来ない旨や、充電または放電が終了した旨を表すメッセージを表示する。
【００３２】
入力部１８０は、ユーザが充放電制御装置１００を操作するためのキーボードやボタン等の入力装置から構成され、ユーザによって入力される各種の情報を受け付ける。具体的には、入力部１８０は、ユーザから、後述する充電制御処理及び放電制御処理の開始指示及び終了指示を表す操作入力を受け付ける。
【００３３】
次に、充放電制御装置１００の制御部１４０の機能的構成について説明する。図４に、充放電制御装置１００の制御部１４０の機能的構成を表すブロック図を示す。図４に示すように、制御部１４０は、蓄電状態判定部１４１、外部装置情報取得部１４２、充電制御部１４３、電力量取得部１４４、放電許可判定部１４５、放電制御部１４６、蓄電状態記憶制御部１４７、表示制御部１４８として機能する。
【００３４】
蓄電状態判定部１４１は、蓄電状態ＤＢ１６１に記憶された電力量に基づいて、二次電池３００の蓄電状態が充電または放電が可能な状態であるか否かを判定する。
【００３５】
具体的には、二次電池３００に充電する場合、蓄電状態判定部１４１は、二次電池３００の蓄電状態が満充電状態か否か、すなわち、図２に示す蓄電状態ＤＢ１６１に記憶された各電力供給元からの電力量の総和が１００％か否かを判定する。そして、電力量の総和が１００％よりも低い場合、蓄電状態判定部１４１は、二次電池３００の蓄電状態は、満充電状態ではない、すなわち充電可能な状態であると判定する。また、電力量の総和が１００％である場合、蓄電状態判定部１４１は、二次電池３００の蓄電状態は、満充電状態である、すなわち充電可能な状態でないと判定する。
【００３６】
また、具体的には、二次電池３００から放電する場合、蓄電状態判定部１４１は、二次電池３００の蓄電状態が放電可能な状態か否か、すなわち、図２に示す蓄電状態ＤＢ１６１に記憶された各電力供給元からの電力量の総和が放電可能な閾値よりも低いか否かを判定する。そして、電力量の総和が閾値よりも大きい場合、蓄電状態判定部１４１は、二次電池３００の蓄電状態は、放電可能な状態であると判定する。また、電力量の総和が閾値よりも低い場合、蓄電状態判定部１４１は、二次電池３００の蓄電状態は、放電可能な状態でないと判定する。
【００３７】
外部装置情報取得部１４２は、外部ＩＦ部１３０を介して、外部装置接続端子２００に接続された電力供給元から、充電装置情報を取得する。充電装置情報は、電力供給元を識別する充電識別情報と、電力供給元の設置場所の種別を表す場所情報と、電力供給元の位置を表す位置情報と、付帯情報とを含む。また、外部装置情報取得部１４２は、外部ＩＦ部１３０を介して、外部装置接続端子２００に接続された電力供給先から、その電力供給先を識別する放電装置情報を取得する。放電装置情報は、電力供給先を識別する放電識別情報と、電力供給先の設置場所の種別を表す場所情報と、電力供給先の位置を表す位置情報と、付帯情報とを含む。
【００３８】
充電制御部１４３は、充放電切替部１２０を制御することにより、二次電池３００への充電を制御する。
【００３９】
電力量取得部１４４は、充電制御部１４３により充電が開始されてから終了されるまでの間に二次電池３００に充電された電力量、及び放電制御部１４６により放電が開始されてから終了されるまでの二次電池３００から放電された電力量を電力量計測部１１０から取得する。
【００４０】
放電許可判定部１４５は、充放電設定ＤＢ１６２に記憶された放電許可情報に基づいて、放電識別情報により識別される電力供給先に、蓄電状態ＤＢ１６１に記憶された充電識別情報により識別される電力供給元から供給された電力を放電可能か否か判定する。
【００４１】
放電制御部１４６は、放電許可判定部１４５の判定結果に基づいて、充放電切替部１２０を制御することにより、二次電池３００からの放電を制御する。
【００４２】
蓄電状態記憶制御部１４７は、充電制御部１４３による二次電池３００への充電が行われた場合、その電力供給元の充電識別情報と、充電された電力量とを対応付けて蓄電状態ＤＢ１６１に記憶させる。また、蓄電状態記憶制御部１４７は、放電制御部１４６による二次電池３００からの放電が行われた場合、放電許可判定部１４５により許可された電力供給元の蓄電状態ＤＢ１６１に記憶された電力量から、放電された電力量を差し引くことにより、蓄電状態ＤＢ１６１に記憶された電力量を更新する。
【００４３】
表示制御部１４８は、表示部１７０への表示を制御する。具体的には、表示制御部１４８は、充電または放電が出来ない旨や、充電または放電が終了した旨を表すメッセージを表示部１７０に表示させる。
【００４４】
次に、充放電制御装置１００が実行する処理の流れについて説明する。
【００４５】
まず、充放電制御装置１００が実行する充電制御処理について説明する。図５は、充放電制御装置１００が実行する充電制御処理の流れの一例を示すフローチャートである。図５に示す充電制御処理は、例えば、ユーザから入力部１８０を介して充電開始を表す操作入力を受け付けたことを契機として開始される。
【００４６】
まず、蓄電状態判定部１４１は、二次電池３００の蓄電状態が満充電状態か否かを判定する（ステップＳ１０１）。具体的には、蓄電状態判定部１４１は、蓄電状態ＤＢ１６１に記憶された各電力供給元の電力量の総和が、二次電池３００の満充電時の電力量に等しいか否かを判定する。
【００４７】
蓄電状態判定部１４１が、二次電池３００は満充電状態であると判定した場合（ステップＳ１０１；Ｙｅｓ）、表示制御部１４８は、二次電池３００が満充電状態であるために充電不可である旨のメッセージを表示部１７０に表示させる（ステップＳ１０２）。そして、充電制御処理を終了する。
【００４８】
蓄電状態判定部１４１が、二次電池３００は満充電状態でないと判定した場合（ステップＳ１０１；Ｎｏ）、外部装置情報取得部１４２は、外部ＩＦ部１３０を介して外部装置接続端子２００に接続されている電力供給元から充電装置情報を取得する（ステップＳ１０３）。
【００４９】
次に、蓄電状態記憶制御部１４７は、ステップＳ１０３において取得した充電装置情報を蓄電状態ＤＢ１６１に記憶させる（ステップＳ１０４）。
【００５０】
次に、充電制御部１４３は、充放電切替部１２０を制御することにより、電力供給元から二次電池３００への充電を開始する（ステップＳ１０５）。
【００５１】
また、電力量取得部１４４は、電力量計測部１１０による電力量の計測を開始する（ステップＳ１０６）。
【００５２】
次に、充電制御部１４３は、二次電池３００の蓄電状態が満充電状態か否かを判定する（ステップＳ１０７）。
【００５３】
充電制御部１４３は、二次電池３００の蓄電状態が満充電状態であると判定した場合（ステップＳ１０７；Ｙｅｓ）、表示制御部１４８は二次電池３００が満充電状態であるためこれ以上充電できない旨のメッセージを表示部１７０に表示させる（ステップＳ１０８）。そして、ステップＳ１１１に処理を進める。
【００５４】
充電制御部１４３は、二次電池３００の蓄電状態が満充電状態でないと判定した場合（ステップＳ１０７；Ｎｏ）、入力部１８０を介してユーザから充電終了指示があったか否かを判定する（ステップＳ１０９）。充電終了指示がないと判定した場合（ステップＳ１０９；Ｎｏ）、充電制御部１４３は、ステップＳ１０７に処理を戻して、充電を続ける。
【００５５】
充電終了指示があったと判定した場合（ステップＳ１０９；Ｙｅｓ）、表示制御部１４８は、充電を終了する旨のメッセージを表示部１７０に表示させる（ステップＳ１１０）。
【００５６】
そして、充電制御部１４３は、充放電切替部１２０を制御して充電を終了させる（ステップＳ１１１）。また、電力量取得部１４４は、電力量計測部１１０による電力量の計測を終了させる（ステップＳ１１２）。
【００５７】
そして、蓄電状態記憶制御部１４７は、電力量取得部１４４により取得された、二次電池３００へ充電された電力量を、ステップＳ１０５において記憶された充電装置情報と対応付けて蓄電状態ＤＢ１６１に記憶させる（ステップＳ１１３）。そして、充電制御処理を終了する。
【００５８】
次に充放電制御装置１００が実行する放電制御処理について説明する。図６は、充放電制御装置１００が実行する放電制御処理の流れの一例を示すフローチャートである。図６に示す放電制御処理は、例えば、ユーザから入力部１８０を介して放電開始を表す操作入力を受け付けたことを契機として開始される。
【００５９】
まず、蓄電状態判定部１４１は、二次電池３００の蓄電状態が放電可能な状態か否かを判定する（ステップＳ２０１）。具体的には、蓄電状態判定部１４１は、蓄電状態ＤＢ１６１に記憶されている各電力供給元からの電力量の総和が放電可能な閾値よりも大きいか否かを判定する。
【００６０】
蓄電状態判定部１４１が、二次電池３００の蓄電状態が放電可能な状態でないと判定した場合（ステップＳ２０１；Ｎｏ）、表示制御部１４８は、放電不可の旨のメッセージを表示部１７０に表示させる（ステップＳ２０２）。そして、放電制御処理を終了する。
【００６１】
蓄電状態判定部１４１が、二次電池３００の蓄電状態が放電可能な状態であると判定した場合（ステップＳ２０１；Ｙｅｓ）、外部装置情報取得部１４２は、外部ＩＦ部１３０を介して外部装置接続端子２００に接続されている電力供給先から放電装置情報を取得する（ステップＳ２０３）。
【００６２】
次に、放電許可判定部１４５は、ステップＳ２０３において取得した放電装置情報と、蓄電状態ＤＢ１６１と、充放電設定ＤＢ１６２とから、外部装置接続端子２００に接続されている電力供給先へ放電可能か否かを判定する（ステップＳ２０４）。
【００６３】
例えば、ステップＳ２０３において取得された放電装置情報に含まれる放電識別情報が「１」、すなわち、外部装置接続端子２００が「工場」内に設置された電力供給先である負荷装置と接続されているとする。この場合、放電許可判定部１４５は、充放電設定ＤＢ１６２を参照し、放電許可情報が「○」である放電識別情報「１」に対応する充電識別情報「１」を特定する。そして、放電許可判定部１４５は、蓄電状態ＤＢ１６１を参照し、特定した充電識別情報「１」が記憶されているか否かを判定する。特定した充電識別情報「１」が蓄電状態ＤＢ１６１に記憶されている場合、放電許可判定部１４５は放電可能であると判定する。また、特定した充電識別情報「１」が蓄電状態ＤＢ１６１に記憶されていない場合、放電許可判定部１４５は放電可能でないと判定する。
【００６４】
また、例えば、ステップＳ２０３において取得された放電装置情報に含まれる放電識別情報が「２」、すなわち、外部装置接続端子２００が「住宅」内に設置された電力供給先である負荷装置と接続されているとする。この場合、放電許可判定部１４５は、充放電設定ＤＢ１６２を参照し、放電許可情報が「○」である放電識別情報「２」に対応する充電識別情報「２」〜「４」及び「６」と、放電許可情報が「△」である放電識別情報「２」に対応する充電識別情報「５」と、を特定する。そして、放電許可判定部１４５は、蓄電状態ＤＢ１６１を参照し、特定した充電識別情報「２」〜「６」が記憶されているか否かを判定する。ここで、特定した充電識別情報「５」が蓄電状態ＤＢ１６１に記憶されていると判定した場合、放電許可判定部１４５は、特定した充電識別情報「５」に対応する位置情報と、ステップＳ２０３において取得された放電装置情報に含まれる位置情報とから、電力供給元と電力供給先とが電力の単価が同じ地域内にあるか否かを判定する。特定した充電識別情報「２」〜「４」及び「６」が蓄電状態ＤＢ１６１に記憶されている場合、または、電力供給元と電力供給先とが電力の単価が同じ地域内にあると判定した場合、放電許可判定部１４５は放電可能であると判定する。また、特定した充電識別情報「２」〜「６」が蓄電状態ＤＢ１６１に記憶されていない場合、または、特定した充電識別情報「５」が蓄電状態ＤＢ１６１に記憶されているが、電力供給元と電力供給先とが電力の単価が同じ地域内でない場合、放電許可判定部１４５は放電可能でないと判定する。
【００６５】
放電許可判定部１４５が、放電可能でないと判定した場合（ステップＳ２０４；Ｎｏ）、表示制御部１４８は、電力供給先が不正であるため放電不可の旨のメッセージを表示部１７０に表示させる（ステップＳ２０５）。
【００６６】
放電許可判定部１４５が放電可能であると判定した場合（ステップＳ２０４；Ｙｅｓ）、放電制御部１４６は、充放電切替部１２０を制御することにより、放電を開始する（ステップＳ２０６）。また、放電制御部１４６は、放電許可情報に基づいて放電可能と判定された放電識別情報に対応する充電識別情報に対応する電力量を蓄電状態ＤＢ１６１から取得し、放電制限量として設定する。
【００６７】
なお、放電許可情報に基づいて放電可能と判定された放電識別情報に対応する充電識別情報が複数あった場合、放電制御部１４６は、各充電識別情報に対応する電力量を蓄電状態ＤＢ１６１から取得し、取得した電力量の総和を放電制限量として設定してもよい。
【００６８】
また、電力量取得部１４４は、電力量計測部１１０による電力量の計測を開始する（ステップＳ２０７）。
【００６９】
次に、放電制御部１４６は、放電した電力量が放電制限量に達したか否かを判定する（ステップＳ２０８）。
【００７０】
放電制御部１４６は、放電した電力量が放電制限量に達したと判定した場合（ステップＳ２０８；Ｙｅｓ）、表示制御部１４８は放電した電力量が放電制限量に達したためこれ以上放電できない旨のメッセージを表示部１７０に表示させる（ステップＳ２０９）。そして、ステップＳ２１２に処理を進める。
【００７１】
放電制御部１４６は、放電した電力量が放電制限量に達していないと判定した場合（ステップＳ２０８；Ｎｏ）、入力部１８０を介してユーザから放電終了指示があったか否かを判定する（ステップＳ２１０）。放電終了指示がないと判定した場合（ステップＳ２１０；Ｎｏ）、放電制御部１４６は、ステップＳ２０８に処理を戻して、放電を続ける。
【００７２】
放電終了指示があったと判定した場合（ステップＳ２１０；Ｙｅｓ）、表示制御部１４８は、放電を終了する旨のメッセージを表示部１７０に表示させる（ステップＳ２１１）。
【００７３】
そして、放電制御部１４６は、充放電切替部１２０を制御することにより放電を終了させる（ステップＳ２１２）。また、電力量取得部１４４は、電力量計測部１１０による電力量の計測を終了する（ステップＳ２１３）。
【００７４】
そして、蓄電状態記憶制御部１４７は、放電許可判定部１４５により許可された電力供給元の蓄電状態ＤＢ１６１に記憶された電力量から、放電された電力量を差し引くことにより、蓄電状態ＤＢ１６１に記憶された電力量を更新する（ステップＳ２１４）。そして、放電制御処理を終了する。
【００７５】
ここで、蓄電状態ＤＢ１６１に記憶されている電力量の更新について説明する。図７Ａに、放電前の蓄電状態ＤＢ１６１に記憶された電力供給元毎の電力量を表す棒グラフの一例を示す。図７Ａに示す例では、充電識別情報「１」、「２」、「３」により識別される電力供給元から供給された電力量はそれぞれ「３０％」、「４０％」、「３０％」であり、二次電池３００の蓄電状態は満充電状態である。
【００７６】
そして、ステップＳ２０３において取得された放電識別情報が「１」、である場合、放電許可判定部１４５は、充放電設定ＤＢ１６２を参照し、放電許可情報が「○」である放電識別情報「１」に対応する充電識別情報「１」を特定する。そして、放電許可判定部１４５は、蓄電状態ＤＢ１６１を参照し、特定した充電識別情報「１」が蓄電状態ＤＢ１６１に記憶されているため、放電許可判定部１４５は放電可能であると判定する。
【００７７】
そして、放電制御部１４６により放電が開始され、放電した電力量が２０％の状態であるときに、ユーザにより放電が停止されたとする。この場合、蓄電状態記憶制御部１４７は、蓄電状態ＤＢ１６１を参照し、放電許可判定部１４５により放電可能と判定された電力供給元、すなわち充電識別情報「１」に対応する電力量「３０％」から、放電された電力量「２０％」を差し引くことにより、充電識別情報「１」に対応する電力量を「１０％」に更新する。図７Ｂに、放電後の蓄電状態ＤＢ１６１に記憶された電力供給元毎の電力量を表す棒グラフの一例を示す。図７Ｂに示すように、二次電池３００の蓄電状態は、図７Ａに示す満充電状態から２０％の電力量が放電された状態であり、その放電された電力量２０％分は、放電許可判定部１４５により放電可能と判定された電力供給元である充電識別情報「１」に対応する電力量「３０％」から差し引かれ、充電識別情報「１」に対応する電力量は放電後において「１０％」に更新されている。
【００７８】
なお、放電許可情報に基づいて放電可能と判定された放電識別情報に対応する充電識別情報が複数あった場合であって、放電制限量に達する前に放電が終了した場合、蓄電状態記憶制御部１４７は、放電許可判定部１４５により許可された電力供給元の蓄電状態ＤＢ１６１に記憶された電力量から、予め定められた優先順で、放電された電力量を差し引くことにより、蓄電状態ＤＢ１６１に記憶された電力量を更新してもよい。
【００７９】
以上説明したように、本実施形態に係る充放電制御システム１において、蓄電状態ＤＢ１６１は、電力供給元毎に、その電力供給元から充電した電力量を記憶している。また、充放電設定ＤＢ１６２は、電力供給元と、その電力供給元から二次電池３００へ充電された電力を放電可能な電力供給先と、を表す放電許可情報を記憶している。そして、ある電力供給先へ放電する際に、その電力供給先に放電可能な電力供給元からの電力が二次電池３００に充電されているかを判定し、その判定結果に基づいて放電を制御する。これにより、二次電池３００に充電された電力を、その電力の電力供給元及び電力供給先に応じて、放電するか否かを制御できるため、電力の不正使用を防ぐことができる。
【００８０】
また、放電可能と判定した際に、その電力供給先に放電可能な電力供給元から充電された電力量を、その電力供給先への放電可能な電力の上限値（放電制限量）として設定することにより、電力の使用量を制限することができる。
【００８１】
また、放電許可情報は、放電可能条件を満たす場合、具体的には、電力供給元と、電力供給先とが、電力の単価が同じ地域内に設置されているに放電が許可されていることを表してもよい。このような条件を満たす場合に放電を許可することにより、電力の単価が安い地域に設置された電力供給元で充電し、電力の単価が高い地域に設置された電力供給先へ放電することにより利益を得るという違法行為を防ぐことができる。
【００８２】
以上、本発明の実施形態について説明したが、本発明は上記の実施形態によって限定されるものではない。
【００８３】
また、本発明に係る充放電制御装置１００は、専用のシステムによらず、通常のコンピュータシステムを用いて実現可能である。例えば、ネットワークに接続されているコンピュータに、上記動作を実行するためのプログラムを、コンピュータシステムが読み取り可能な記録媒体（ＣＤ−ＲＯＭ、ＭＯ等）に格納して配布し、当該プログラムをコンピュータシステムにインストールすることにより、上述の処理を実行する充放電制御装置１００を構成してもよい。
【００８４】
また、コンピュータにプログラムを提供する方法は任意である。例えば、プログラムは、通信回線の掲示板（ＢＢＳ）にアップロードされ、通信回線を介してコンピュータに配信されてもよい。また、プログラムは、プログラムを表す信号により搬送波を変調した変調波により伝送され、この変調波を受信した装置が変調波を復調してプログラムを復元するようにしてもよい。そして、コンピュータは、このプログラムを起動して、ＯＳの制御のもと、他のアプリケーションと同様に実行する。これにより、コンピュータは、上述の処理を実行する充放電制御装置１００として機能する。
【００８５】
本発明は、本発明の広義の精神と範囲に逸脱することなく、様々な実施の形態及び変形が可能とされるものである。また、上述した実施形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【００８６】
本出願は、２０１２年１２月２８日に出願された日本国特許出願特願２０１２−２８７５０６号に基づく。本明細書中に、それらの明細書、特許請求の範囲、図面全体を参照として取り込むものとする。
【産業上の利用可能性】
【００８７】
本発明は、充放電可能な二次電池の制御システムに適する。
【符号の説明】
【００８８】
１  充放電制御システム、１００  充放電制御装置、１１０  電力量計測部、１２０  充放電切替部、１３０  外部ＩＦ部、１４０  制御部、１４１  蓄電状態判定部、１４２  外部装置情報取得部、１４３  充電制御部、１４４  電力量取得部、１４５  放電許可判定部、１４６  放電制御部、１４７  蓄電状態記憶制御部、１４８  表示制御部、１５０  主記憶部、１６０  補助記憶部、１６１  蓄電状態ＤＢ、１６２  充放電設定ＤＢ、１７０  表示部、１８０  入力部、２００  外部装置接続端子、３００  二次電池
【図１】
2014104287.tif 000003
【図２】
2014104287.tif 000004
【図３】
2014104287.tif 000005
【図４】
2014104287.tif 000006
【図５】
2014104287.tif 000007
【図６】
2014104287.tif 000008
【図７Ａ】
2014104287.tif 000009
【図７Ｂ】
2014104287.tif 000010
【手続補正書】
【提出日】平成27年5月20日(2015.5.20)
【手続補正１】
【補正対象書類名】明細書
【補正対象項目名】０００８
【補正方法】変更
【補正の内容】
【０００８】
上記目的を達成するため、本発明に係る充放電制御装置は、
二次電池へ電力を供給する電力供給元から、当該電力供給元を識別する充電識別情報を取得する第１取得部と、
前記電力供給元から前記二次電池へ供給された電力量を取得する第２取得部と、
前記第１取得部により取得された充電識別情報と、前記第２取得部により取得された電力量と、を対応付けて記憶する第１記憶部と、
電力供給元と電力供給先との組み合わせ毎に、当該電力供給元から前記二次電池へ充電された電力の、当該電力供給先への放電が可能か否かを表す放電許可情報を記憶する第２記憶部と、
電力供給先から、当該電力供給先を識別する放電識別情報を取得する第３取得部と、
前記放電許可情報に基づいて、前記放電識別情報により識別される電力供給先に、前記第１記憶部に記憶された充電識別情報により識別される電力供給元から供給された電力を放電可能か否か判定する判定部と、
前記判定部による判定結果に基づいて、前記二次電池から、前記放電識別情報により識別される電力供給先への放電を制御する制御部と、
を備えることを特徴とする。
【手続補正２】
【補正対象書類名】特許請求の範囲
【補正対象項目名】全文
【補正方法】変更
【補正の内容】
【特許請求の範囲】
【請求項１】
二次電池へ電力を供給する電力供給元から、当該電力供給元を識別する充電識別情報を取得する第１取得部と、
前記電力供給元から前記二次電池へ供給された電力量を取得する第２取得部と、
前記第１取得部により取得された充電識別情報と、前記第２取得部により取得された電力量と、を対応付けて記憶する第１記憶部と、
電力供給元と電力供給先との組み合わせ毎に、当該電力供給元から前記二次電池へ充電された電力の、当該電力供給先への放電が可能か否かを表す放電許可情報を記憶する第２記憶部と、
電力供給先から、当該電力供給先を識別する放電識別情報を取得する第３取得部と、
前記放電許可情報に基づいて、前記放電識別情報により識別される電力供給先に、前記第１記憶部に記憶された充電識別情報により識別される電力供給元から供給された電力を放電可能か否か判定する判定部と、
前記判定部による判定結果に基づいて、前記二次電池から、前記放電識別情報により識別される電力供給先への放電を制御する制御部と、
を備える充放電制御装置。
【請求項２】
前記制御部は、前記判定部により放電可能であると判定された場合、前記放電識別情報により識別される電力供給先に放電可能であると判定された電力供給元を識別する充電識別情報と対応付けられた電力量を前記第１記憶部から特定し、特定された電力量を放電可能な電力量の上限として、前記電力供給先への放電を制御する、
請求項１に記載の充放電制御装置。
【請求項３】
前記第１取得部は、電力供給元から、当該電力供給元の位置を表す充電位置情報をさらに取得し、
前記第１記憶部は、前記第１取得部により取得された充電識別情報及び充電位置情報と、前記第２取得部により取得された電力量と、を対応付けて記憶し、
前記放電許可情報は、電力供給元の位置及び電力供給先の位置が予め定められた条件を満たす場合に、当該電力供給元から前記二次電池へ充電された電力の、当該電力供給先への放電が可能である旨を表し、
前記第３取得部は、電力供給先から、当該電力供給先の位置を表す放電位置情報をさらに取得し、
前記判定部は、前記放電許可情報に基づいて、前記放電位置情報が表す位置と、前記第１記憶部に記憶された充電位置情報が表す位置とが前記条件を満たす場合に、その充電位置情報に対応する充電識別情報により識別される電力供給元から供給された電力の、前記放電識別情報により識別される電力供給先への放電を許可する、
請求項１または２に記載の充放電制御装置。
【請求項４】
前記電力供給元は、公共施設、住宅、工場、会社、及び車のうち、少なくともいずれか１つが備える充電設備である、
請求項１から３のいずれか１項に記載の充放電制御装置。
【請求項５】
二次電池と、当該二次電池の充放電を制御する充放電制御装置と、を含む充放電制御システムであって、
前記充放電制御装置は、
前記二次電池へ電力を供給する電力供給元から、当該電力供給元を識別する充電識別情報を取得する第１取得部と、
前記電力供給元から前記二次電池へ供給された電力量を取得する第２取得部と、
前記第１取得部により取得された充電識別情報と、前記第２取得部により取得された電力量と、を対応付けて記憶する第１記憶部と、
電力供給元と電力供給先との組み合わせ毎に、当該電力供給元から前記二次電池へ充電された電力の、当該電力供給先への放電が可能か否かを表す放電許可情報を記憶する第２記憶部と、
電力供給先から、当該電力供給先を識別する放電識別情報を取得する第３取得部と、
前記放電許可情報に基づいて、前記放電識別情報により識別される電力供給先に、前記第１記憶部に記憶された充電識別情報により識別される電力供給元から供給された電力を放電可能か否か判定する判定部と、
前記判定部による判定結果に基づいて、前記二次電池から、前記放電識別情報により識別される電力供給先への放電を制御する制御部と、を備える、
充放電制御システム。
【請求項６】
二次電池へ電力を供給する電力供給元から、当該電力供給元を識別する充電識別情報を取得する第１取得ステップと、
前記電力供給元から前記二次電池へ供給された電力量を取得する第２取得ステップと、
前記第１取得ステップにおいて取得された充電識別情報と、前記第２取得ステップにおいて取得された電力量と、を対応付けて第１記憶部に記憶させる第１記憶ステップと、
電力供給先から、当該電力供給先を識別する放電識別情報を取得する第３取得ステップと、
第２記憶部に記憶された、電力供給元と電力供給先との組み合わせ毎の、当該電力供給元から前記二次電池へ充電された電力の、当該電力供給先への放電が可能か否かを表す放電許可情報に基づいて、前記放電識別情報により識別される電力供給先に、前記第１記憶部に記憶された充電識別情報により識別される電力供給元から供給された電力を放電可能か否か判定する判定ステップと、
前記判定ステップにおける判定結果に基づいて、前記二次電池から、前記放電識別情報により識別される電力供給先への放電を制御する制御ステップと、
を有する充放電制御方法。
【請求項７】
コンピュータを、
二次電池へ電力を供給する電力供給元から、当該電力供給元を識別する充電識別情報を取得する第１取得手段、
前記電力供給元から前記二次電池へ供給された電力量を取得する第２取得手段、
前記第１取得手段により取得された充電識別情報と、前記第２取得手段により取得された電力量と、を対応付けて記憶する第１記憶手段、
電力供給元と電力供給先との組み合わせ毎に、当該電力供給元から前記二次電池へ充電された電力の、当該電力供給先への放電が可能か否かを表す放電許可情報を記憶する第２記憶手段、
電力供給先から、当該電力供給先を識別する放電識別情報を取得する第３取得手段、
前記放電許可情報に基づいて、前記放電識別情報により識別される電力供給先に、前記第１記憶手段に記憶された充電識別情報により識別される電力供給元から供給された電力を放電可能か否か判定する判定手段、
前記判定手段による判定結果に基づいて、前記二次電池から、前記放電識別情報により識別される電力供給先への放電を制御する制御手段、
として機能させるためのプログラム。
【国際調査報告】
2014104287.tif 000011
2014104287.tif 000012